(57)【要約】【課題】  触媒ヒーターの電力を下げることなく触媒ヒーター近傍の温度を下げて、調理庫内の調理物が均一に加熱されるようにする加熱調理器を提供する。【解決手段】  調理庫３内に配設されたほぼ凹字状に形成された上ヒーター１及び下ヒーター２と、調理庫３内と外気に通じる排気経路６に配置された触媒ヒーター８とを備え、上ヒーター１の触媒ヒーター８と対向する折返し部分を、その触媒ヒーター８から遠ざける形状とした。【選択図】        図２
2006075310.tif 000002
【特許請求の範囲】
【請求項１】
調理庫内に配設された調理用ヒーターと、
調理庫内と外気に通じる排気経路に配置された触媒ヒーターとを備え、
前記調理用ヒーターの前記触媒ヒーターと対向する部分を、その触媒ヒーターから所定距離離れた位置に設けたことを特徴とする加熱調理器。
【請求項２】
前記調理用ヒーターは、ほぼ凹字状に形成された上ヒーター及び下ヒーターからなり、これら上ヒーター及び下ヒーターの何れか一方の前記触媒ヒーターと対向する部分を、その触媒ヒーターから所定距離離れた位置に設けたことを特徴とする請求項１記載の加熱調理器。
【請求項３】
前記上ヒーター及び下ヒーターの両方の前記触媒ヒーターと対向する部分を、その触媒ヒーターから所定距離離れた位置に設けたことを特徴とする請求項２記載の加熱調理器。
【発明の詳細な説明】
【技術分野】
【０００１】
本発明は、加熱調理中に発生する調理物の煙や臭いの素となる物質を酸化分解する触媒を備えた加熱調理器に関するものである。
【背景技術】
【０００２】
従来、この種の加熱調理器は、調理庫内に設けられた調理用の上ヒーター及び下ヒーターと、排気経路に設置された触媒と、触媒ヒーターと、除煙ファンとを備え、調理開始時に触媒ヒーターに一定時間通電して、触媒が浄化作用を行うのに必要な温度になるまで加熱し、その後、調理用の上ヒーター及び下ヒーターと除煙ファンとに通電して調理物を加熱するようにしている。この時、触媒の浄化作用により、調理物から発生する煙や臭いを除去する（例えば、特許文献１参照）。
【特許文献１】特開２００２−３１７９４７（第３−４頁、図１，図４）
【発明の開示】
【発明が解決しようとする課題】
【０００３】
前述した従来の加熱調理器では、触媒の温度が約３００℃前後になるように制御されているため、電力が２００〜４００Ｗ位の触媒ヒーターが必要となっている。一方、調理用の上ヒーター及び下ヒーターは、調理庫内で均一に熱が伝わるように配設されているため、触媒ヒーター近傍では、その触媒ヒーターからの熱が加わってその分高い温度となっている。このため、調理庫内に収納された調理物は、触媒ヒーター近傍の部分が余計に焼けて焦げることがあった。
【０００４】
本発明は、かかる課題を解決するためになされたもので、触媒ヒーターの電力を下げることなく触媒ヒーター近傍の温度を下げて、調理庫内の調理物が均一に加熱されるようにする加熱調理器を提供することを目的とする。
【課題を解決するための手段】
【０００５】
本発明に係る加熱調理器は、調理庫内に配設された調理用ヒーターと、調理庫内と外気に通じる排気経路に配置された触媒ヒーターとを備え、調理用ヒーターの触媒ヒーターと対向する部分を、その触媒ヒーターから所定距離離れた位置に設けたものである。
【発明の効果】
【０００６】
本発明においては、調理用ヒーターの触媒ヒーターと対向する部分を、その触媒ヒーターの所定距離離れた位置に設けたので、触媒ヒーター近傍の調理物の上面側が余計に加熱されることなく均一に加熱され、焦げなどが均一になる。
【発明を実施するための最良の形態】
【０００７】
実施の形態１．
図１は本発明の実施の形態１に係る加熱調理器の構成を示すブロック図である。
本実施の形態の加熱調理器は、例えばグリルのユニットとして組込式の電磁調理器に搭載されたもので、調理庫３と、この調理庫３内に配設された上ヒーター１及び下ヒーター２と、調理庫３内に出し入れ自在に設置された受け皿４及び受け皿４に載置された焼き網５と、調理庫３の扉３ａに対向する側壁の上角部から延びて外気に通じる排気経路６と、排気経路６の吸引口側に配置された触媒ヒーター８と、排気経路６の触媒ヒーター８の上流側に配置された触媒７と、排気経路６の触媒７の上流側に配置された除煙ファン９と、調理庫３内の温度を検出する庫内温度センサ１０と、触媒の加熱温度を検出する触媒温度センサ１１とを備えている。
【０００８】
また、この加熱調理器は、上ヒーター１及び下ヒーター２の通電を制御する上下ヒーター制御部１２と、触媒ヒーター８の通電を制御する触媒ヒーター制御部１３と、除煙ファン９の運転を制御する除煙ファン制御部１４と、例えば１チップマイコンからなる主制御部１５と、各種のキーが設けられた操作部１６と、表示部１７と、調理終了等を音で知らせる報知部１８とを備えている。操作部１６と表示部１７は、電磁調理器のトッププレート２１側（外枠）に配置されている。また、操作部１６に設けられた各種のキーは、手動メニューキー、自動メニューキー、火力設定キー、調理時間設定キー、調理スタートキー等である。
【０００９】
前記の主制御部は、焼き網５に載せた調理物が受け皿４と共に調理庫３に収納された後、例えば、操作部１６の手動メニューキーがＯＮされると、表示部７に火力及び調理時間を選択可能に表示し、火力設定キーにより例えば上ヒーター１及び下ヒーター２の火力が選択操作され、次いで、調理時間設定キーにより調理時間が設定されて、調理スタートキーがオンされると、調理時間設定キーにより設定された調理時間が経過するまで、上下ヒーター制御部１２を通じて上下ヒーター１，２の通電を制御し、触媒ヒーター制御部１３を通じて触媒ヒーター８の通電を制御し、また、除煙ファン制御部１４を通じて除煙ファン９を駆動する。この時、主制御部１５は、庫内温度を庫内温度センサ１０から検知して、設定火力に応じた庫内温度になるように上下ヒーター１，２を制御し、また、触媒７の温度を触媒温度センサ１１から検知して一定になるように触媒ヒーター８を制御する。
【００１０】
次に、前述した上下ヒーターについて図２を用いて説明する。図２は実施の形態１における加熱調理器の調理庫内を上から見た平面図である。
上ヒーター１は、調理庫３の天井面近傍に、下ヒーター２は、上ヒーター１との間に焼き網５が介在するように調理庫３の底面側にそれぞれ配設されている（図１参照）。これら上下ヒーター１，２は、扉３ａ側から見てほぼ凹字状に形成された例えばシーズヒーターからなっている。そのうち、下ヒーター２は、調理庫３の底面側全域に熱が均一に伝わるように、受け皿４の出入方向（図２に示す矢印）の調理庫３の中心を軸にほぼ左右対称の形状となっている。また、上ヒーター１は、触媒ヒーター８と対向する折返し部分が下ヒーター２と比べ触媒ヒーター８から所定距離離れた位置となっている。その触媒ヒーター８との間隔は、触媒ヒーター８の加熱電力分、上ヒーター１の加熱温度分布が下がるようにした距離である。
【００１１】
以上のように実施の形態１によれば、上ヒーター１の触媒ヒーター８と対向する折返し部分を触媒ヒーター８から所定距離離れた位置としたため、触媒ヒーター８近傍の調理物の上面側が余計に加熱されることなく均一に加熱され、焦げなどが均一になるという効果がある。
【００１２】
なお、前記の実施の形態１では、調理庫３の扉３ａに対向する側壁の上角部に排気経路６が取り付けられて、その排気経路６の吸引口内に触媒ヒーター８が配置された構造としたため、上ヒーター１の折返し部分を触媒ヒーター８から遠ざかるような形状としたが、前述した調理庫３の側壁の下角部に排気経路６が取り付けられていた場合は、下ヒーター２の折返し部分のみを触媒ヒーター８から遠ざかるような形状とする。このように構成した場合、触媒ヒーター８近傍の調理物の下面側が余計に加熱されることなく均一に加熱され、焦げなどが均一になる。
【００１３】
また、図３に示すように、上ヒーター１及び下ヒータ２ともに、触媒ヒーター８と対向する折返し部分がそれぞれ触媒ヒーター８から所定距離離れた位置になるようにしてもよい。
【００１４】
実施の形態２．
図４は本発明の実施の形態２に係る加熱調理器の上下ヒーターの説明図である。
本実施の形態における上ヒーター１は、前記と同様に、触媒ヒーター８と対向する折返し部分が下ヒーター２と比べ触媒ヒーター８から所定距離離れた位置となっており、また、上ヒーター１の給電側の一方、即ち触媒ヒーター８の設置側が下ヒーター２と比べ側壁から離れた位置で折り曲げられた形状となっている。下ヒーター２は、前述した如く調理庫３の底面側全域に熱が均一に伝わるように、ほぼ左右対称の凹字状となっている。なお、触媒ヒーター８が設置されている排気経路６の取付位置は、調理庫３の扉３ａに対向する側壁の上角部である。
【００１５】
以上のように実施の形態２によれば、上ヒーター１の触媒ヒーター８と対向する折返し部分を触媒ヒーター８から所定距離離れた位置にすると共に、上ヒーター１の触媒ヒーター８の設置側を下ヒーター２と比べ側壁から離れた位置で折り曲げた形状としたので、調理物の触媒ヒーター８周辺の部分が余計に加熱されることなく、表面と裏面ともに均一に焼き上げることができる。
【００１６】
なお、前記の実施の形態２では、触媒ヒーター８が設置されている排気経路６が前記の側壁の上角部に取り付けられている場合の上ヒーター１の形状について述べたが、図５に示すように触媒ヒーター８がほぼ中央に配置されていた場合、本実施の形態で述べたように、下ヒーター２も前記の上ヒーター１と同じ形状とする。これにより、触媒ヒーター８近傍の調理物が余計に加熱されることなく、表面と裏面ともに均一に焼き上げることができる。
【図面の簡単な説明】
【００１７】
【図１】本発明の実施の形態１に係る加熱調理器の構成を示すブロック図である。
【図２】実施の形態１における加熱調理器の調理庫内を上から見た平面図である。
【図３】実施の形態１の他の例を示す上下ヒーターの説明図である。
【図４】本発明の実施の形態２に係る加熱調理器の上下ヒーターの説明図である。
【図５】実施の形態２の他の例を示す上下ヒーターの説明図である。
【符号の説明】
【００１８】
１  上ヒーター、２  下ヒーター、３  調理庫、４  受け皿、５  焼き網、６  排気経路、７  触媒、８  触媒ヒーター、９  除煙ファン、１０  庫内温度センサ、１１  触媒温度センサ、１２  上下ヒーター制御部、１３  触媒ヒーター制御部、１４  除煙ファン制御部、１５  主制御部、１６  操作部、１７  表示部、１８  報知部。
【図１】
2006075310.tif 000003
【図２】
2006075310.tif 000004
【図３】
2006075310.tif 000005
【図４】
2006075310.tif 000006
【図５】
2006075310.tif 000007